(57)【要約】      （修正有）【課題】  節水整流器具及び活水整水器具を一体化した製品を提供する。【解決手段】  節水器具１と整流部位４の外部に活水器具と整水部位２を装着することにより、活水と整水及び節水整流の成果向上につながる一体化された製品となり、製造技術の簡易化が図れる。そして、製造の簡易化によりメンテナンスが容易となる。また、簡単な付属品の使用により流水管内と管外と接続が可能となり、更なる効果をあげることができる。活水器具は、磁気部位５やセラミック部位６及びトルマリン部位７などと外郭器具８と組み合わせ可能な器具である。また、吐水部と上記器具の内臓一体器具により、作業が簡単で取り付けが容易な部品となる。【選択図】図１
2006200345.tif 000002
【特許請求の範囲】
【請求項１】
流水管や水道栓の接続部位内に装着する器具であり、活性水としての抗菌効果等の水質改善を図ることの出来る磁気部位５及びセラミック部位６やトルマリン部位７等の使用を単独又は組合せて仕様でき、整水部位２を含み活性水を簡単に作り出し、節水器具１等と外郭器具８に一体組み込み型の器具。
【請求項２】
節水器具部１は流水管や水道管等の吐水部の管内部装着し、使用する水の水質や用途にあわせて節水器具１は円筒体であり、円筒体の上部は外径とほぼ等しい径であり、下部は上部より小さな通水路９であり、管内部から外部に向けてなるようにし、節水器具１出口部にて整流部位４を有した器具である。また、この組み込み器具は流水管や水道栓の接続部位内に装着する器具であり、活性水としての抗菌効果等の水質改善を図ることのできる磁気部位５及びセラミック部位６やトルマリン部位７等の使用を単独又は組合せて活性水と整水をつくり、簡単に節水器具１整流部位４等に簡単に組合せ外郭器具８装着できる器具であり、活性水としての効果を引き出す磁気部位５及びセラミック部位６やトルマリン部位７等の装着部位は節水器具１の上部もしくは下部または両方に使用することが出来る器具。
【請求項３】
流水管や水道管等の吐水部の管外部装着する器具で、活性水としての抗菌効果等の水質改善を図ることのできる磁気部位５及びセラミック部位６やトルマリン部位７等の使用を単独又は組み合わせて、簡単に節水器具１外部に組み込みができる器具であり、使用する水の水質や用途に合わせて、節水及び活性水を整水部位２や整流部位４を用途別に合わせて組み込み可能で簡単製造できる器具で、簡易付属品３により管外部装着できる器具。
【請求項４】
節水整流活水整水器具と水道管吐水部や流水管吐水部及びシャワー器具に内蔵された器具１０で取り付けが簡易で、メンテナンスが部品全体の交換で簡単にできる器具。
【発明の詳細な説明】
【技術分野】
【０００１】    この発明は水道等の吐水部の節水や整流及び活性水と整水に関する。
【背景技術】
【０００２】  第一に、従来の水道等の吐水部における節水や整流及び活性水と整水に関する技術は、それぞれ製造技術的に高度であるため個別のものとなっていた。そのために、節水整流器具と活水整水器具が一体された製品が量産する体制になっておらず、総合的に水資源に対しての対策がなされた器具ではなかった。  第二に、活水器具においては、活水材の取り付け場所は節水器具に対して、水の流れの入り口と出口に装備することにより効果を上げる形となっていなかった。そのため、節水器具や活水器具は内部加工が多く、加工技術が高度でありメンテナンスが容易ではなかった。  第三に、簡単な付属品を使用することにより水道管外部取り付けができる節水整流と活水整水器具は存在していなかった。  第四に、流水管吐水部と節水整流器具および活水整水器具が一体になった取り付け作業の簡易なものは存在していなかった。
【発明の開示】
【発明が解決しようとする課題】  第一に、水資源の節水整流と活水整水をそれぞれ個別に行われていた為、総合して水資源に対しての対策がなされた器具はなかった。そこで、この発明は、節水整流器具と活水整水器具の一体化により総合的に対策を行う器具を提供することを課題とする。  第二に、節水器具や活水器具は内部加工が多く加工技術が高度であり、メンテナンスが容易ではなかった。そこで、この発明は、メンテナンスを容易にするために、節水器具の外部に活水材を取り付けることにより水の流れの入り口と出口に装備し活水効果をあげて加工技術の簡易化を提供することを課題とする。  第三に、流水管の外部に容易に取り付ける節水整流と活水整水器具が存在していなかった。そこで、この発明は、流水管外部に簡単に取り付けることが可能な簡単な付属品を使用することにより、管外にて節水と整流及び活水と整水を同時にすべて行うことが可能でメンテナンスが簡易な一体器具の提供することを課題とする。  第四に、水道管等の吐水部に内蔵された節水整流と活水整水器具は存在していなかった。そこで、この発明は、水道管吐水部やシャワー吐水部と一体となった取り付け作業の容易な器具を提供することを課題とする。
【課題を解決するための手段】
【０００４】    以上の課題を解決するために、第一発明は、節水整流器具と活水整水器具が一体となっており、節水や活水等を同時に簡易に行うことを特徴とする、節水や整流及び活水や整水する一体器具である。  また、第二発明は、活水器具においては、活水材の取り付け場所を節水器具の外部の、水の流れの入り口と出口に装備することにより加工技術を容易にし、又、メンテナンスを容易にしたことを特徴とする節水や整流及び活水や整水する一体器具である。  また、第三発明は、流水管外部に簡単な付属品を使用することにより、取り付け簡単で節水活水等を同時に行うことが出来ることを特徴とする節水や整流及び活水や整水する一体器具である。  また、第四の発明は、水道管やシャワー等の吐水部内に組み込み内蔵された一体器具であり、取り付け作業の簡易化された器具であることを特徴とする節水や整流及び活水や整水する一体器具である。
【発明の効果】  第一発明、または第二発明により、節水整流器具と活水整水器具が一体となっていることより、節水と整流及び各種活水と整水を同時に行うことの出来る器具となっていて小型で多機能となっている。  また、第三の発明により、簡単な付属品を使用することにより同一商品で管外部装着ができ、管内装着と同様の効果をあげることができる。  また、第四の発明により吐水部に一体内蔵された器具により、作業性の改善簡易化をはかれる。
【発明を実施するための最良の形態】
【０００６】
2006200345.tif 000003
この発明の一実施形態を、図１に示す。    流水管や水道栓の接続部位内に装着する器具であり、活性水としての抗菌効果等の水質改善を図ることができる」磁気部位５及びセラミック部位６やトルマリン部位７等の使用を単独又は組み合わせて活水器具と整水部位２で活性水を簡単に作り出し、節水器具１等と外郭器具８に一体組み込み型の器具。    次に、この発明の一実施形態を、図５に示す。    節水整流活水整水器具と水道管吐水部や流水管吐水部及びシャワー器具に内臓された器具１０で取り付けが簡易で、メンテナンス部品全体の交換で簡単に出来る器具。【０００７】「実施形態の効果」  この実施形態によれば、節水整流活水整水がひとつの器具で簡単に行うことが出来る。又、水道管吐水部やシャワー器具に内蔵された器具１０で取り付けが簡単で、メンテナンスが部品の全体の交換で簡単に出来るため、作業性が良い。「他の実施形態」  図１の実施形態では、活水材等が上下共についているが、他の実施形態では図３や図４のようにどちらかのみや、磁気部位やセラミック部位及びトルマリン部位のすべての使用ではなく、用途に応じた活性材の使用したものでもよい。  この技術はシングルレバーに対応したものである。
【図面の簡単な説明】
【０００８】
【図１】節水整流活水整水一体器具の断面図である。
【図２】節水整流器具の断面図である。
【図３】上部節水整流活水整水部位の断面図である。
【図４】下部節水整流活水整水部位の断面図である。
【図５】一体器具の内蔵図である。
【図６】簡易付属品断面図である。
【符号の説明】
【０００９】１  節水器具２  整水部位３  簡易付属品４  整流部位５  磁気部位６  セラミック部位７  トルマリン部位８  外郭器具９  流水路１０  一体器具
【図１】
2006200345.tif 000004
【図２】
2006200345.tif 000005
【図３】
2006200345.tif 000006
【図４】
2006200345.tif 000007
【図５】
2006200345.tif 000008
【図６】
2006200345.tif 000009